(57)【要約】【課題】ズボン脱衣後のベルトがズボンに装着された状態で、ズボン用のハンガー等を用いず、素早くクローゼットのパイプ等にズボンを吊下げられ、更にこの吊り下げ状態でズボンの種類・用途で求められる程度の型崩れや皺が発生しないズボン用携帯ハンガーを提供することである。【解決手段】以上の課題を解決するために、ベルトに装着して使う吊下げ具とズボンの捲りや垂れを防ぐ密着保持具と、ズボンを吊り下げた時に皺や型崩れを防ぐ片面曲がり抑制ベルトで構成されたズボン携帯ハンガーと、ズボンの皺や型崩れは多少発生するが素早くズボンを吊り下げられる、吊り下げ具と密着保持具で構成されたズボン携帯ハンガーを提供する。【選択図】図１
2014073336.tif 000002
【特許請求の範囲】
【請求項１】
片面曲がり抑制ベルトと、該片面曲がり抑制ベルトに装着する吊下げ具と密着保持具で構成されていることを特徴とするズボン携帯ハンガー。
【請求項２】
ズボン用のベルトに装着する吊下げ具と密着保持具で構成されていることを特徴とするズボン携帯ハンガー。
【発明の詳細な説明】
【技術分野】
【０００１】  本発明は、片面曲がり抑制ベルトと吊下げ具と、密着保持具で構成され、ズボン用ハンガー等の用具を用意せず、ズボンを素早く、吊下げ支持できる携帯のハンガーに関する。
【背景技術】
【０００２】  ズボンを脱衣後に素早くハンガーで吊下げしたいというニーズがある。例えば、サラリーマンが会社等から疲れて帰った時や衣類店の試着室でズボンをはきかえる時、会社のロッカーなどで多くの社員で込み合っている時や会社の朝の忙しい時などである。【０００３】  一方、ズボンを吊下げるときにはズボン用のハンガーを一般に使う。例えば頂点に引掛け具のある△形状のもの、△形状のハンガーの１斜辺のないもの、△形状の底辺にズボンを挟持するグリップが設けられたものなどがあるが、これらは、ハンガーをズボンに装着するという操作が発生するため、素早くハンガー掛けを行うには限界があり手間がかかる。【０００４】  前記のように、素早くハンガーで吊下げたいが手間がかかると、ズボンをハンガー掛けすることをあきらめて、脱衣後のズボンをソファーに掛けたり、椅子に掛けたり、床に置きっぱなしにしたり、ロッカーの棚に押し込んでして、部屋が汚くなったり、ズボンに皺ができたり型崩れたりしてしまう。
折り目のついたスラックスなどでは、こうしたことから皺や型崩れを防いで素早くハンガーで吊りたいというニーズがあり、またＧパンなどは多少型崩れや皺が発生しても良いが、やはり素早くハンガーで吊下げたいというニーズがある。【０００５】  また、ズボン用のハンガーがない場所でもハンガーを使って吊下げたい時がある。例えば、家庭の中でもハンガーのない部屋や海水浴や渓流遊びなどで木の枝に掛けたい時、公営の欲場施設などでロッカーにハンガーがない時、工事現場でズボンを履き替える時などである。しかし、多くはハンガーを持ち歩くわけではないので、ハンガーで吊ることはできない。
【発明の概要】
【発明が解決しようとする課題】
【０００６】  解決しようとする課題は、胴回りを締めるベルトがズボンに装着された状態で、ズボン用のハンガー等の用具を用意しなくても、素早くクローゼットのパイプなどにズボンを吊下げられ、ズボンを吊下げた後に、ズボンの種類・用途で求められる程度に型崩れや皺の発生がないこと、すなわち、Ｇパンのようなズボンは、多少の型崩れや皺の発生は良いが、スラックスのように折り目のついたズボンは皺や型崩れの発生が少ないズボン用ハンガーを提供することである。
【課題を解決するための手段】
【０００７】  以上の課題を解決するために、第一の発明は、片面曲がり抑制ベルトと、該片面曲がり抑制ベルトに装着する吊下げ具と密着保持具で構成されていることを特徴とするズボン携帯ハンガーを提供する。【０００８】  また、第二の発明は、ズボン用のベルトに装着する吊下げ具と密着保持具で構成されていることを特徴とするズボン携帯ハンガーを提供する。
【発明の効果】
【０００９】  第一の発明は、ズボン用のハンガーの機能をベルトとベルトに常時装着されている吊り下げ具と密着保持具とで代替するものでズボン用ハンガーを別途用意しなくても、ズボンの吊り下げができる。更に、ズボンを吊り下げる時に、ベルトを外す必要もなく、吊り下げ具のつまみを指で引き出してそのまま掛止具をクローゼットのパイプ等に掛止でき、ズボンの両サイドを密着する密着保持具も磁石式など操作が容易なものなので、ズボンを脱衣後に迅速にズボンの吊り下げができる。更に、ベルトの片面を曲がり抑制した構造としているので、ズボンの両サイドを１か所密着保持すれば、該ベルトが剛性の高い棒状になり、ズボンの胴回りを真っ直ぐに保持でき、型崩れや皺の発生を防止できる。また、ズボンを着用する時に、ベルトは既に装着されており、吊り下げ具と密着保持具は容易に収納できるので、迅速にズボンを装着出来る。また、吊り下げ具、密着保持具はコンパクトな構造にでき、ベルトの裏にほぼ隠すことも出来るので意匠の悪化も防げる。【００１０】  第二の発明は、第一の発明のベルト表面方向で曲がりを抑制した構造のベルトは使わず一般のベルトを使った場合であり、型崩れや皺は多少発生するが、Ｇパンのように型崩れ、皺が多少発生しても容認できる場合は、第一の発明のようなベルトを用意せず、一般のベルトを使うことができるという効果がある。
【図面の簡単な説明】
【００１１】
【図１】この発明の実施形態にかかるズボン携帯ハンガーの斜視図である。
【図２】図１をユーザーが使用した時の図で、（Ａ）は正面図、（Ｂ）は上部図である。
【図３】は吊り下げ具の実施形態ａ（連結具がコイル構造）を示し、（Ａ）は斜視図であり、（Ｂ）は収納状態の正面図である。
【図４】は図３の連結具がコイル構造の吊り下げ具で、図３の収納具の代わりにベルト装着具付連結板を使った時の斜視図である。
【図５】は吊り下げ具の実施形態ｂ（連結具がパンタグラフ構造）を示し、（Ａ）は正面図であり、（Ｂ）は収納状態の正面図である。
【図６】は吊り下げ具の実施形態ｃ（連結具が紐で収納具がリール構造）を示し、（Ａ）は正面図及びリール構造の収納具は断面図である。（Ｂ）は（Ａ）に対応した収納具の側面断面図であり、（Ｃ）は収納状態の正面図であり、（Ｄ）は掛止具の斜視図である。
【図７】は密着保持の実施形態ａ（磁石で係合）を示し、（Ａ）はベルト片サイドに装着した時の斜視図であり（Ｂ）はベルト両サイドに密着保持具を装着し、夫々の磁石が吸着し係合し合っている図である。
【図８】は密着保持の実施形態ｂ（吊り下げ具が実施形態ａの場合で密着保持具がコイル構造）を示した斜視図である。
【図９】は密着保持の実施形態ｃ（吊り下げ具が実施形態ａの場合で密着保持具がばね構造）を示した斜視図である。
【図１０】は密着保持の実施形態ｄ（吊り下げ具が実施形態ｃの場合で密着保持具がフック）を示した斜視図である。
【図１１】は片面曲がり抑制ベルトの実施形態ａ（曲がり抑制紐）を示し、（Ａ）は正面図であり、（Ｂ）は紐係止具の横断面図である。
【図１２】は、図１１の紐を中間で数か所係止した場合の正面図である。
【図１３】は片面曲がり抑制ベルトの実施形態ｂ（曲がり抑制布）を示し、（Ａ）は正面図であり、（Ｂ）は布係止箇所の斜視図である。
【図１４】は片面曲がり抑制ベルトの実施形態ｃ（曲がり抑制駒群）を示し、（Ａ）は正面図であり、（Ｂ）は曲がり抑制駒群の斜視図であり、（Ｃ）は曲がり抑制駒群の湾曲時の側面図である。
【図１５】は片面曲がり抑制ベルトの実施形態ｄ（曲がり抑制板群）を示し、（Ａ）は正面図であり、（Ｂ）は曲がり抑制板群の側面図であり、（Ｃ）は（Ｂ）に対応して曲がり抑制板群の正面図である。
【図１６】は片面曲がり抑制ベルトの実施形態ｅ（曲がり抑制円弧板）の正面図である。
【発明を実施するための形態】
【００１２】  図１は、本発明の代表的な実施形態を示す。
【００１３】  尚、以降の説明のために次のように用語を定義する。ズボンを着衣しベルトをズボンに装着した状態で、ベルトの幅広面の身体側をベルト裏面といい、身体と反対側の通常露出している面をベルト表面とする。また、ズボンの小便ファスナーのある面をズボン正面といい、背骨当たりのスラックスなどで折り目がある所をズボン後方といい、ズボンの正面から見てベルト装着部分のズボン正面からズボン後方までの右側をズボン右サイドといい、左側をズボン左サイドといい、ベルトをズボンに装着した状態でズボン右サイドにあるベルト部分をベルト右サイドといい、ズボン左サイドにあるベルト部分をベルト左サイドといい、ベルト右サイドとベルト左サイドとを合わせてベルト両サイドという。また、ズボンのベルトを通すための布で出来たＣ字形状の部分をベルト通しとする。また、ベルトの長手方向の両端を、金具のある方をバックル側、バックル側と反対の端をベルト先端とする。
【００１４】  図１の、吊り下げ具１は、ズボンを吊り下げるときに、クローゼット等に掛けるとき使用するものであり、吊り下げをしないときはコンパクトに収納でき、目立たず邪魔にならない。吊り下げ具には、図１の実施形態以外にも実施形態があり後述する。
【００１５】  図１の密着保持具２は、ベルト両サイドを挟むように合わせてズボンの捲りや垂れを防ぐためのものである。密着保持具には、図１の実施形態以外にも実施形態があり後述する。
【００１６】  図１の第一の発明の片面曲がり抑制ベルト３は、ズボンをクローゼット等に吊り下げた時に、密着保持具との併用でズボンを掛止し、ズボンの捲り、垂れ、型崩れ、皺を防ぐものである。片面曲がり抑制ベルトには、図１の実施形態以外にも実施形態があり後述する。
【００１７】  図２（Ａ）、（Ｂ）は本発明の使用状況を示す。図２（Ａ）から分かるように、ズボンがベルトで掛止され吊り下げ具１でパイプに吊られている。また、図２（Ｂ）は図２（Ａ）の状態でズボン上部から見た図であり、ベルト両サイドに磁石２３ａを設けた密着保持具２にて、ベルト両サイドがズボンの生地ＣＬを挟むようにベルトＢとズボン生地ＣＬが密着し合っている。
以降、本発明の各構成要素について詳しく説明する。
【００１８】  図３〜図６は、ズボンを衣類収納用クローゼットのパイプ等にズボンを吊下げるための吊下げ具１の実施形態ａ、ｂ、ｃの図である。以降、実施形態ａ，ｂ，ｃを夫々説明する。
【００１９】  図３は吊り下げ具１の実施形態ａを示す。吊り下げ具１の実施形態ａは、掛止具１０ａ、連結具１１ａ、収納具１２ａで構成され、掛止具１０ａはクローゼットのパイプ等に掛けるもので、円弧状に曲成した引掛け部１０１ａと、Ｌ字型のベルト挟持部１０４ａを有したコの字型の板のつまみ部１０２ａと、箱状で下方が開いている結合部１０３ａで構成され、引掛け部１０１ａとつまみ部１０２ａとは接合若しくは一体化しており、つまみ部１０２ａは結合部１０３ａと軸着している。パイプ等に掛止具１０ａを掛けるときは、つまみ部１０２ａを指でつまみあげ引掛け部１０１ａを引き出し掛けるが、引掛け易くするためつまみ部１０２ａと結合部１０３ａとは軸着して回転自在としている。また、ベルト挟持部１０４ａは、掛止具１０ａを収納した時に、引掛け部１０１ａが邪魔にならないようベルトに挟持して係止する。結合部１０３ａは、下方が開いた箱状のもので、下方から連結具１１ａの端を入れて接合している。
【００２０】  連結具１１ａは、ウレタン、ポリ塩化ビニールなどの樹脂やステンレス撚り線をコイル状にしたものであり、引き延ばすとコイルが力を蓄え、張力がなくなれば自然にコイルは縮まり、収納に手間がかからず収納時は小さくコンパクト化できる。また、連結具１１ａはズボン、ベルト、ポケットの小物などの吊下げ総重量に十分耐えられる強度をもつものである。
【００２１】  収納具１２ａは、上部が開いた箱状であり、縮んだ連結具１１ａを収納できる。また、収納具１２ａの底と連結具１１ａの一端とが接合されている。収納具１２ａは、ベルトＢに装着するため、Ｃ字形状のベルト装着部１２１ａを有している。ベルト装着部１２１ａは、ベルトに装着する時にベルトの先端から挿入する方法やベルト装着部１２１ａをホック等で開閉自在として、ベルトに装着することもできる。収納具１２ａは、連結具１１ａだけではなく引掛け部１０１ａも収納できるようにワイドな箱としても良い。また、連結具１１ａはコイル状でコンパクトであるので、収納しても邪魔にならないため、図４のように収納せず露出しても良い。その場合は、収納具のないリング状のベルト装着具付連結板１２２ａをつかう。
【００２２】  次に、図５は吊り下げ具１の実施形態ｂを示す。吊り下げ具１の実施形態ｂは、掛止具１０ｂ、連結具１１ｂ、収納具１２ｂで構成され、掛止具１０ｂは、クローゼットのパイプ等に引掛けるもので円弧状に曲成した引掛け部１０１ｂ、略長方形の板２枚が隙間を設け向かい合っているつまみ部１０２ｂで構成され、引掛け部１０１ｂとつまみ部１０２ｂとは接合若しくは一体化している。つまみ１０２ｂは指でつまむことが出来る程度の大きさで、吊り下げ具１を使用する時に掛止具１０ｂを指で引き出して、指で握ったままパイプ等に引掛け部１０１ｂを掛けることができる。また、つまみ部１０２ｂと連結部１１ｂとは軸着している。
【００２３】  連結具１１ｂは、パンタグラフ構造のもので、ステンレス、鉄、硬質の樹脂などの薄い略長方形の板で、両端と中央に穿孔がある２枚の長プレート１１０ｂを夫々板の中央の穿孔を合わせて回転自在に軸着したプレートＸ組１１１ｂを４個用意し、夫々のプレートＸ組１１１ｂの長プレートの端を他のプレートＸ組の長プレートの端の穿孔部分で回転自在に軸着して、図５のように組み上げたプレートＸ組群と、長プレートの約半分強の板で、両端に穿孔がある短プレート１１２ｂの２枚の短プレートを夫々片端の穿孔部分で軸着したプレートＶ組１１３ｂを２つ用意して、該プレートＸ組群両端の夫々の長プレートの端にプレートＶ組１１３ｂの短プレートの端を合わせて回転自在に軸着したものである。連結具１１ｂの両端は、つまみ部１０２ｂと収納具１２ｂの底の近傍の壁面で夫々軸着されているので、つまみ部１０２ｂをあげたり下げたりすると、連結具１１ｂが伸びたり縮んだりする。連結具１１ｂが伸びた状態を図５（Ａ）に縮んだ状態を図５（Ｂ）に示す。
【００２４】  収納具１２ｂは、引掛け部１０１ｂと連結具１１ｂとも収納し、ベルトに装着するためベルト装着部１２０ｂを有し、ベルト装着部１２０ｂは吊り下げ具１の実施形態ａと同じくＣ字形状であり、着脱方法も吊り下げ具１の実施形態ａと同じである。
また、引掛け部１０１ｂと連結具１１ｂが収納状態のとき外部へ飛び出さないよう、収納具１２ｂ内部の壁間を狭くした引掛け具係止部１２１ｂを設けて、引掛け部１０１ｂの先端が摩擦で抜けにくくしている。
【００２５】  次に、図６は吊り下げ具１の実施形態ｃを示す。吊り下げ具１の実施形態ｃは、掛止具１０ｃ、連結具１１ｃ、収納具１２ｃで構成され、掛止具１０ｃは、円弧状に曲成した引掛け部１０１ｃと、Ｌ字型のベルト挟持部１０４ｃと貫通軸を有したコの字型のつまみ部１０２ｃで構成されており、引掛け部１０１ｃとつまみ部１０２Ｃとは接合若しくは一体化している。つまみ１０２ｃは指でつまむことが出来る程度の大きさで、吊り下げ具１を使用する時に掛止具１０ｃを指で引き出して、指で握ったままパイプ等に引掛け部１０１ｃを掛けることができる。また、つまみ部１０２ｃと連結部１１ｃとは巻着している。また、ベルト挟持部１０４ｃは、ズボンを着用し掛止具１０ｃをベルトに収納した時に、引掛け部１０１ｃが邪魔にならないようベルトに挟持して係止する。
【００２６】  連結部１１ｃは、細いステンレス撚り線やポリエチレン、ナイロンなどの樹脂の紐である。
【００２７】  収納具１２ｃは、連結部１１ｃを収納する時にばねの弾性力で巻き取るリール構造のものである。
図６（Ａ）、（Ｂ）に示すように、収納具１２ｃはリール筐体１２４Ｃと該リール筐体１２４Ｃの内部の回転体のリール台１２３ｃ、ゼンマイばね１２２ｃで構成され、連結具１１ｃはリール台１２３ｃのリール部１２５ｃに接合されており、リール台１２３ｃの中心である軸部１２０ｃは、リール筐体１２４Ｃの円筒形状の軸受部１２１ｃに嵌入されており、リール台１２３ｃは軸部１２０ｃを中心に回転可能に支持されている。また、リール筐体１２４ｃとリール台１２３ｃは、ゼンマイばね１２２ｃで接合されている。リール部１２５ｃには連結具１１ｃが巻かれており、つまみ部１０２ｃを引いて連結具１１ｃが引き出されることにより、リール台１２３ｃが右回りに回転し、ゼンマイばね１２２ｃが蓄勢される。ユーザーが連結具１１ｃを緩めると、ゼンマイばね１２２ｃの付勢力によりリール台１２３ｃが左回りに回転し、連結具１１ｃがリール部１２５ｃに巻き取られる。
【００２８】  また、収納具１２ｃは、ベルトに装着するため、ベルト装着部１２６ｃを有している。ベルト装着部１２６ｃは、吊り下げ具１の実施形態ａと同じくＣ字形状であり、着脱方法も吊り下げ具１の実施形態ａと同様である。
【００２９】  以上、吊り下げ具１の実施形態ａ、ｂ、ｃについて説明したが、実施形態ａ又は実施形態ｂ又は実施形態ｃの吊り下げ具１はベルト左サイド若しくはベルト右サイドのどちらか片方サイドに装着しても良いし、両サイドとも装着して同時に吊っても良い。また、実施形態ａ又は実施形態ｂ又は実施形態ｃの収納具と引掛け部は、目立たないようにするためベルト裏面に置いているが、ベルト表面に置いても良い。
【００３０】  次に本発明のベルト両サイドの密着保持具具２の実施形態を説明する。
一般にズボン用のベルトは可撓性があるため、このベルトに吊り下げ具１を装着して吊ると、ズボンの胴回り部分が捲れたり、垂れたり、バックルのない側のベルト先端部分がベルト通しから抜けてズボンが落下する場合がある。そのため、捲りや垂れや落下を防止するため、捲れや垂れが発生する個所であるベルト先端箇所および吊下げ個所近傍で密着保持、すなわちベルト両サイドを挟むように密着若しくは接近させた状態を保持する必要がある。
【００３１】  ベルト先端箇所の密着保持は、ベルト両サイドのベルト裏面に磁石やマジックテープ（登録商標）を付設して係合し合う（図の説明はない）。尚、バックルにベルト先端を挿入することで、ベルトの捲りや垂れを防止できる場合があり、その場合は、ベルト先端で密着保持する必要はない。
また、後述する本発明の片面曲がり抑制ベルト３を使う場合は、吊下げ個所近傍の一か所を密着保持すれば、ベルト先端箇所での密着保持は行わなくてもズボンの捲れ、落下、ベルト曲りによる皺、型崩れを防止することができる。
【００３２】  また、吊下げ個所近傍では、ベルト両サイドのベルト裏側にズボンの生地ＣＬがあるため、ズボンの生地をベルト両サイドで挟むように密着若しくは接近させるが、その場合の密着保持具２について４種類の実施形態ａ、ｂ、ｃ、ｄを図７〜１０図を基に説明する。
【００３３】  図７は密着保持具２の実施形態ａを示す。密着保持具２の実施形態ａは、上部に凸形状の係止ツメ２７ａを有したＬアングル２１ａを両端に有しＣ字形状のベルト装着具２５ａを有したベース板２０ａと、つまみ２６ａと磁石２３ａが封入された磁石袋２４ａを有し下端に突起のスライド板係止ツメ２８ａを有したスライド板２２ａで構成されている。
【００３４】  スライド板２２ａはベース板２０ａに挿入しており自在にスライドし、係止ツメ２７ａとスライド板係止ツメ２８ａと当接して引上げは止まる。つまみ２６ａは、スライド板２２ａを引き上げる時に使い、ベルトに収納する時にベルトを挟持して係止する。磁石２３ａが封入された磁石袋２４ａは、磁石２３ａに比べて大きく、布製のものか柔らかい樹脂製のフイルムで出来ている。
【００３５】  本密着保持具は、ベルト両サイドのベルト裏面が向かい合う個所に夫々に１か所ずつ装着して図７（Ｂ）のようにズボンの胴回りの生地ＣＬを挟んで、磁石２３ａで吸着し合って密着保持する。
尚、密着保持具２ａの磁石２３ａは、両サイドどちらも磁石でも良いし、一方は磁石で、他方は鉄やニッケルの磁性体でも良い。また、ベルト両サイドとも磁石の場合は、当然Ｎ極とＳ極が対面するようにする。
【００３６】  本密着保持具を使う時には、本密着保持具をベルト両サイドに装着しつまみ２６ａを摘み夫々スライド板２２ａを引き上げ、ベルト両サイドを両手で押すように近づけると、ベルト両サイドの磁石２３ａが磁力で吸引し合い、磁石袋２４ａが膨らむように張って磁石同士が近づき吸着して係合され密着保持される。密着保持具２ａを収納する時には、手で磁石同士を引き離してつまみ２６ａを押し戻せば、ベルト裏面とズボンの生地の中に磁石袋２４ａが挟まれ磁石袋２４ａは縮む。
【００３７】  次に、図８は密着保持具２の実施形態ｂを示す。図８は、分かりやすくするため吊り下げ具１の実施形態ａも右に示している。密着保持具２の実施形態ｂは、円弧状に曲成した形状のフック２３ｂと、つまみ係合凸２２１ｂとを有したつまみ２２ｂと、つまみ２２ｂに接合し該吊り下げ具の連結具１１ａと略同じ長さで収縮自在の保持具コイル２１ｂと、保持具コイル２１ｂを収納でき保持具コイル２１ｂの一端と底で接合されＣ字形状のベルト装着具２４ｂとつまみ係合凸２２１ｂと係合するつまみ係合受け凸２２２ｂを有する箱状の収納具２０ｂで構成され、該吊り下げ具が設置されているベルト個所と対面する反対側のベルトサイドに装着して使う。
【００３８】  本密着保持具を使う時は、該吊り下げ具を引き出し、同時に本密着保持具のつまみ２２ｂを摘み引出し、フック２３ｂを該吊り下げ具の引掛け部１０１ａの根元に掛けて係合する。前記状態は、ズボン両サイドを本密着保持具と該吊り下げ具とで吊った状態になり、ズボンの自重でズボン両サイドのベルト裏面同士に接近する力が発生し密着保持となる。
また、前記の吊り下げ状態から、ズボンを着用するとき、フック２３ｂを外せば保持具コイル２１ｂが縮みつまみ２６ｂを指で押すとつまみ係合凸２２１ｂとつまみ係合受け凸２２２ｂとが係合し、つまみ２６ｂが係止される。
【００３９】  前記の説明から、本密着保持具は、コイル構造の吊り下げ具だけではなく、連結具が紐構造の吊り下げ具１の実施形態ｃでも適用できることがわかる。また、本密着保持具のコイル２１ｂも紐構造として、収納具２０ｂに収納具１２ｃ類似のリール構造の収納具を使うこともできる。また、吊り下げ具１をベルト両サイドに装着して同じ個所に掛けて吊下げれば、密着保持したことと同じになる。
【００４０】  次に、図９は密着保持具２の実施形態ｃを示す。図９は、分かりやすくするため吊り下げ具１の実施形態ａも右に示している。密着保持具２の実施形態ｃは、円弧状に曲成した形状のフック２３ｃと箱状のつまみ２２ｃと、つまみ２２ｃに接合し弾性体の保持具ばね２１ｃと、保持具ばね２１ｃを収納でき保持具ばね２１ｃの一端と底で接合しＣ字形状のベルト装着具２４ｃを有する箱状の収納具２０ｃで構成されており、該吊り下げ具が設置されているベルト個所と対面する反対側のベルトサイドに装着して使う。
【００４１】  本密着保持具を使う時は、該吊り下げ具を引き出し、同時につまみ２２ｃを摘み引出し、フック２３ｃを該吊り下げ具の連結具１１ａ下部に掛けて係合する。前記の状態で、該吊り下げ具を吊れば、保持具ばね２１ｃの弾性力と連結具１１ａの張力で、ズボン両サイドが密着保持状態となる。
【００４２】  また、前記の吊り下げ状態から、ズボンを着用するとき、フック２３ｃを外せば保持具ばね２１ｃが縮み保持具ばね２１ｃの弾性力で、つまみ２２ｃは容易に動かない。
【００４３】  次に、図１０は密着保持具２の実施形態ｄを示す。図１０は、分かりやすくするため吊り下げ具１の実施形態ｃも右に示している。密着保持具２の実施形態ｄは、フック２２ｄとベルトに装着するベルト装着具２１ｄで構成されており、該吊り下げ具が設置されているベルト個所と対面する反対側のベルトサイドに装着して使う。
【００４４】  本密着保持具を使う時は、該吊り下げ具の連結具１１ｃを引き出し、本密着保持具を指でベルトごと持ち上げフック２２ｄを露出した状態にして、連結具１１ｃを、フック２２ｄに図１０のように巻き、吊り下げる。前記の状態にすることで、連結具１１ｃの張力で、ベルト両サイドが引き合うように密着保持される。
また、前記の吊り下げ状態から、ズボンを着用するとき、連結具１１ｃをフック２２ｄから外せば良い。
【００４５】  次に、第一の発明の片面曲がり抑制ベルト３について説明する。
【００４６】  一般にズボンの胴回りに装着するベルトは可撓性が高く、体に装着した時に体の胴回りの形状に沿って容易に曲がる。そのため、可撓性の高いベルトをズボンに装着した状態で吊り下げ具１を使ってズボンを吊下げると、密着保持具で部分的に密着保持していても、ズボン、ベルト、ポケットの小物の重量でベルトが反れたり、垂れたりして、ズボンの型崩れや皺を発生しやすい。
かといって、剛性の高いベルトを使うと、ベルトが体の胴回りの形状に馴染まず、ベルトと体との接触面積が少なくなり、体に接触した個所ではベルトから体への圧力が集中して圧迫感を感じる。
【００４７】  第一の発明のベルト片面曲がり抑制ベルト３は、ベルトの幅広面が長手方向で平面の状態からベルト裏面方向へ曲る（ベルト裏面が内側に湾曲するように曲がることである。以降の説明も同様である。）時は一般のベルトのように可撓性があり、ベルトが平面にある状態から、ベルト表面方向へ曲るときは高い剛性となる片面曲がり抑制ベルトである。
【００４８】  従って、ズボンを着用しベルトを装着した時はベルト両サイドがベルト裏面方向へ曲がるため圧迫感がないが、ズボンを吊るときには、ベルト両サイドのベルト裏面が向かい合う状況に密着保持されるので、ベルト裏面方向への曲がりは向かい合うベルトの表面方向で剛性が高いため抑制され、ベルト両サイドが一体となった剛性の高い棒状になり、ズボン捲りや垂れを防止する。
更に、密着保持は、吊り下げ具装着近傍の１箇所で行えばベルト両サイドが棒状となるので、ベルト先端の密着保持は不要となる。
【００４９】  前記の片面曲がり抑制ベルトにするための２つの方法を説明する。１つの方法は、ベルト裏面に非伸縮の紐や布を張着する方法である。一般にズボン用のベルトは、革や合成樹脂で作製されており、幅広面方向で湾曲させると、湾曲の内側のベルトの素材は圧縮され、湾曲の外側のベルトの素材は伸びる。従って、ベルト裏面の伸びを非伸縮性の紐や布で張着して抑制すればベルト表面方向への曲がりを抑制することが出来る。
２つ目の方法は、片面曲がり抑制具をベルトに内蔵する方法である。
以降、これらの説明を行う。
【００５０】  図１１は片面曲がり抑制ベルト３の実施形態ａを示す。片面曲がり抑制ベルト３の実施形態ａは、伸縮の小さい、細いステンレス撚り線、綿やポリエチレン、ポリエステル、ナイロンなどの樹脂で作られた曲がり抑制紐３０ａと、曲がり抑制紐３０ａを曲げ抑制範囲の両端で固定する紐通し部３３ａを有する紐係止具３２ａと、革や合成樹脂で作製されたベルトＢａで構成されており、ベルトＢａの曲がり抑制範囲に、曲がり抑制紐３０ａをベルト裏面に這わせて、ベルトＢａを長手方向で真っ直ぐの状態を維持しながら、曲がり抑制紐３０ａの両端を張設しながら紐係止具３２ａで固定する。
また、曲がり抑制紐３０ａがベルト着用時等に他物に引っ掛かったり、紐がベルト表面から外れたりしないようにするため、適当な間隔を置いて曲がり抑制紐３０ａを紐抑え糸３１ａで縫合するように抑える。ベルトＢａは、一般に使われるベルトと同様なものであり、詳細の説明は省略する。
【００５１】  前記、曲がり抑制紐３０ａはベルト裏面に布設されているので、ベルト表面方向に曲げようとしても、曲がり抑制紐３０ａの張力でベルト表面の伸びが抑制され、曲がりが抑制され剛性の高い状態になる。一方、ベルトＢａの裏面方向へ曲げるときは、曲がり抑制紐３０ａは緩むだけでベルトの圧縮を妨げることはないため可撓性のある状態となる。
【００５２】  尚、曲がり抑制範囲については、片面曲がり抑制を行う範囲のことである。曲がり抑制範囲は、ベルト両サイドのズボンの胴回りに接する部分の区間を全て片面曲がり抑制することが好適であるが、片面曲がり抑制をしていない普通のベルトもある程度は剛性をもっていることとベルト後方はベルトが繋がっているため曲がり難いということから、ズボンの重量やベルトの剛性を考慮して、曲げ抑制範囲をズボン胴回りに接する部分より短くしても良い。（以降の説明の曲がり抑制範囲についても本内容と同様であり以降の曲がり抑制範囲の説明は省略する）
【００５３】  また、片面曲がり抑制ベルト３の実施形態ａでは、曲がり抑制紐３０ａの張力を両端だけで受ける構造としているが、図１２のように曲がり抑制紐３０ａの張力を両端だけで受けず、中間の紐中間係止具３４ａに曲がり抑制紐３０ａを巻着して、中間区間毎に張力を受ける方法もある。
【００５４】  次に、図１３は片面曲がり抑制ベルト３の実施形態ｂを示す。片面曲がり抑制ベルト３の実施形態ｂは、伸縮性の小さいポリエステルなどの繊維で織られた布や、ポリエチレンなどの樹脂のフイルムを使った曲がり抑制布３０ｂと、曲がり抑制布３０ｂの両端を係止する貫通穴の有する布係止具３２ｂと、革や合成樹脂で作製されたベルトＢｂで構成されており、曲がり抑制範囲に曲がり抑制布３０ｂをベルトＢｂの裏面に這わせて、曲がり抑制布３０ｂの両端を布係止具３２ｂの貫通穴を通し、ベルトＢｂを長手方向で真っ直ぐの状態を維持しながら、貫通穴を通した曲がり抑制布３０ｂの両端を折り返して、曲がり抑制布３０ｂに張力を与えながら、曲がり抑制布３０ｂ同士で縫合して張着する。更に、曲がり抑制布３０ｂとベルトＢｂを密着させるため、所々で曲がり抑制布３０ｂとベルトＢｂとを布縫合３１ｂにて縫合する。尚、曲がり抑制範囲については片面曲がり抑制ベルト３の実施形態ａで説明した。また、ベルトＢｂは、一般に使われるベルトと同様なものであり、詳細の説明は省略する。
【００５５】  前記の片面曲がり抑制ベルト３は、曲がり抑制布３０ｂの取り付けられたベルトＢｂの裏面と反対のベルト表面の方向では、曲がり抑制布３０ｂの張力で曲がりが抑制され、剛性の高い状態になる。一方、ベルトＢｂの裏面方向に曲がるときは、曲がり抑制布３０ｂは皺を作るだけでベルトの圧縮を妨げることはないため可撓性のある状態となる。
【００５６】  次に、前記のベルト表面に紐や布、フイルムを張着する方法に対して、ベルトに曲げ抑制具を内蔵してベルトの片面曲げり抑制する方法を説明する。
図１４〜図１６は曲げ抑制具をベルトに内蔵して、ベルト面に布で覆い縫合したものである。
【００５７】図１４は片面曲がり抑制ベルト３の実施形態ｃを示す。片面曲がり抑制ベルト３の実施形態ｃは、図１４（Ａ）のように、曲がり抑制駒群３０ｃと、曲がり抑制駒群３０ｃが入る溝をベルト裏面に設けた革や合成樹脂で作製されたベルトＢｃと、ベルトＢｃの溝に内蔵された曲がり抑制駒群３０ｃを覆って抑える抑え布３１で構成されている。
【００５８】  図１４（Ｂ）の曲がり抑制駒群３０ｃは、硬質の樹脂や金属で作製した長方体の駒３４ｃを並べた駒群を長手方向に１面だけをポリエチレンフイルムなどの伸縮性の小さいフイルム状の連結テープ３５ｃで接着させたもので、連結テープ３５ｃ接着面方向への曲りに対しては、連結テープ３５ｃがフイルムなので容易に湾曲するが、逆の方向への曲がりでは、駒３４ｃ同士が当接し合い、連結テープ３５ｃも伸びが小さく、駒３４ｃの圧縮も小さいのでほとんど曲がらない。従って、曲がり抑制駒群３０ｃを、ベルトＢｃの溝に連結テープをベルト裏面方向に向けて内蔵し、抑え布３１で覆って縫合することで、ベルトＢｃの表面への曲りに対して剛性がありベルト裏面への曲りでは可撓性のあるベルトとなる。尚、駒３４ｃは前記で述べた同様な曲り抑制効果があれば長方体でなくてもよい。
【００５９】  また、ベルトＢｃ裏面方向へ曲がる時、ベルトＢｃ裏面は圧縮されてベルトＢｃの溝の長手方向の長さは短くなるが、曲がり抑制駒群３０ｃは圧縮されず長さが変わらないため、ズボンを体に装着してベルトを装着した時でも、曲がり抑制駒群３０ｃの長さが、ベルトＢｃの溝の長さより短いように遊びスペース３３を設けている。
【００６０】  また、曲がり抑制駒群３０ｃは曲がり抑制範囲の区間に設置する。尚、曲がり抑制範囲については片面曲がり抑制ベルト３の実施形態ａで説明した。
【００６１】  次に、図１５は片面曲がり抑制ベルト３の実施形態ｄを示す。片面曲がり抑制ベルト３の実施形態ｄは、四角い平板の１辺を凸に、対面の辺を凹に成形し、平板の１平面側のみ凸部と凹部部分の角の一部をＲ加工した曲り抑制板３４ｄを複数用意し、夫々の駒の凸凹を合わせて回転軸３５ｄにて軸着した曲り抑制板群３０ｄと、曲り抑制板群３０ｄを内蔵するため設けられた溝を有する革や合成樹脂で作られたベルトＢｄと、曲り抑制板群３０ｄを抑えるための抑え布３１で構成されている。
【００６２】  曲り抑制板群３０ｄは、図１５（Ｂ）、（Ｃ）のように平板状態からＲ加工された面へは曲り抑制板３４ｄの隣同士が係止するまで自在に回転するが、Ｒ加工されていない面方向への曲がりは隣り合う曲り抑制板３４ｄの角同士が当接して回転せず、片面では剛性が高く、半対面では可撓性がある状態になる。
従って、曲がり抑制駒群３０ｄを、ベルトＢｄの溝にＲ加工した面をベルト裏面方向に向けて内蔵し、抑え布３１で覆って縫合することで、ベルトＢｄの表面への曲りに対して剛性がありベルト裏面への曲りでは可撓性のあるベルトとなる。
【００６３】  また、ベルトＢｄ裏面への曲りのとき、ベルトＢｄ裏面は圧縮されて沿面距離が短くなるが曲がり抑制板群３０ｄは圧縮されないので長さに差が発生するため、遊びスペース３３を設けている。
【００６４】  また、ベルトＢｄの溝に内蔵する曲がり抑制板群３０ｄは曲がり抑制範囲の区間に設置する。尚、曲がり抑制範囲については片面曲がり抑制ベルト３の実施形態ａで説明した。
【００６５】  次に、図１６は片面曲がり抑制ベルト３の実施形態ｅを示す。片面曲がり抑制ベルト３の実施形態ｅは、ステンレス製の巻尺のメジャー部分で使われるような薄く円弧状の曲がり抑制円弧板３０ｅを、溝に埋める方法である。
円弧状の曲がり抑制円弧板３０ｅは、円弧の内円方向での曲りでは可撓性があり、外円方向への曲りでは剛性がある。
【００６６】  従って、曲がり抑制円弧板３０ｅを、ベルトＢｅの溝に曲がり抑制円弧板３０ｅの内円をベルトＢｅ裏面に向けて内蔵して、抑え布３１で覆って縫合することで、ベルトＢｅの表面への曲りに対して剛性がありベルト裏面への曲りでは可撓性のあるベルトとなる。
【００６７】  また、ベルトＢｅ裏面への曲りのとき、ベルトＢｅ裏面は圧縮されて沿面距離が短くなるが曲がり抑制板群３０ｅは圧縮されないので長さに差が発生するため、遊びスペース３３を設けている。
【００６８】  また、ベルトＢｅの溝に内蔵する曲がり抑制円弧板３０ｅは曲がり抑制範囲の区間に設置する。
尚、曲がり抑制範囲については片面曲がり抑制ベルト３の実施形態ａで説明した。
【００６９】  次に、第二の発明について説明する。第二の発明については、前記第一の発明における片面曲り抑制ベルト３の代わりに、一般のベルトを使うものであり、その他の、吊り下げ具１、密着保持２は第一の発明と同じである。
【符号の説明】
【００７０】  １  吊り下げ具
２  密着保持具
３  片面曲がり抑制ベルト
【図１】
2014073336.tif 000003
【図２】
2014073336.tif 000004
【図３】
2014073336.tif 000005
【図４】
2014073336.tif 000006
【図５】
2014073336.tif 000007
【図６】
2014073336.tif 000008
【図７】
2014073336.tif 000009
【図８】
2014073336.tif 000010
【図９】
2014073336.tif 000011
【図１０】
2014073336.tif 000012
【図１１】
2014073336.tif 000013
【図１２】
2014073336.tif 000014
【図１３】
2014073336.tif 000015
【図１４】
2014073336.tif 000016
【図１５】
2014073336.tif 000017
【図１６】
2014073336.tif 000018